(57)【要約】【課題】液滴のサイズを大きくする。【解決手段】スカート部１１を垂設する平板部１２と、平板部１２の上面に突設するノズル部１３と、ノズル部１３と同軸状のロッド１４とを設け、平板部１２には、連通孔１６を設ける。【選択図】図１
2006076639.tif 000002
【特許請求の範囲】
【請求項１】
容器の口部に装着するスカート部と、該スカート部を垂設する平板部と、該平板部の上面に突設する円筒形のノズル部と、前記平板部の上面に突設する前記ノズル部と同軸状のロッドとを一体成形してなり、前記平板部には、前記ロッド、ノズル部の間に開口する連通孔を設けることを特徴とする薬液容器の中栓。
【請求項２】
前記連通孔は、前記ノズル部の内面に接するように形成することを特徴とする請求項１記載の薬液容器の中栓。
【請求項３】
前記連通孔は、前記ロッドの外面に接するように形成することを特徴とする請求項１記載の薬液容器の中栓。
【請求項４】
前記ロッドには、放射状のリブを付設することを特徴とする請求項１ないし請求項３のいずれか記載の薬液容器の中栓。
【請求項５】
前記連通孔は、前記各リブの間に配置することを特徴とする請求項４記載の薬液容器の中栓。
【発明の詳細な説明】
【技術分野】
【０００１】
この発明は、たとえばうがい薬などの薬液を収納し、薬液を滴下させて使用する用途に好適な薬液容器の中栓に関する。
【背景技術】
【０００２】
点眼薬や、歯科用のボンディング剤などの薬液は、容器内の薬液を滴下させて使用する。水に稀釈して使用するうがい薬などについても同様である。
【０００３】
このような薬液は、液滴のサイズを均一にして計量精度を向上させるとともに、有害な液だれを生じないように、薬液容器の中栓に工夫がなされている。たとえば、中栓の内径を出口側に向けて徐々に開拡させるとともに、出口端の周縁を鋭いエッジに形成することにより、液だれを少なくすることができる（特許文献１）。また、円筒形のノズル部の底面にドーム状の突出部を設けることにより、液だれを防止し、均一な液滴を作ることができる（特許文献２）。
【特許文献１】実開昭６２−１６１６５７号（実願昭６１−５１３２４号）のマイクロフィルム
【特許文献２】特開２０００−２１９２２６号公報
【発明の開示】
【発明が解決しようとする課題】
【０００４】
かかる従来技術によるときは、中栓の工夫は、専ら液だれの防止に主眼が置かれているため、液滴のサイズが大きくなく、たとえばうがい薬のように、１滴当たりの滴下量を大きくして計量に要する時間を最少に抑えたい用途に対し、必ずしも十分ではないという問題があった。
【０００５】
そこで、この発明の目的は、かかる従来技術の問題に鑑み、ノズル部内に同軸状のロッドを設けることによって、液滴のサイズが大きく、たとえばうがい薬などの薬液の滴下用に好適に使用することができる薬液容器の中栓を提供することにある。
【課題を解決するための手段】
【０００６】
かかる目的を達成するためのこの発明の構成は、容器の口部に装着するスカート部と、スカート部を垂設する平板部と、平板部の上面に突設する円筒形のノズル部と、平板部の上面に突設するノズル部と同軸状のロッドとを一体成形してなり、平板部には、ロッド、ノズル部の間に開口する連通孔を設けることをその要旨とする。
【０００７】
なお、連通孔は、ノズル部の内面に接するように、またはロッドの外面に接するように形成することができる。
【０００８】
また、ロッドには、放射状のリブを付設してもよく、連通孔は、各リブの間に配置してもよい。
【発明の効果】
【０００９】
かかる発明の構成によるときは、ノズル部を下向きにし、容器を押圧して弾性変形させると、容器内の薬液は、連通孔を介してロッドとノズル部との間の隙間に流出し、ノズル部の先端から液滴として滴下させることができる。そこで、このときの液滴は、表面張力により、ノズル部の先端から分離する直前まで、ノズル部の先端の周縁とロッドの先端部との双方により保持され、最大のサイズに成長させることができる。なお、ノズル部の内径は、ノズル部の内面とロッドの外面との間の隙間が全部薬液によって充満され、薬液が自然流下しない最大径に設定することが好ましく、ノズル部の先端部は、内面を滑らかにラッパ状に開拡させてエッジを形成し、液だれを防ぐことが好ましい。
【００１０】
連通孔は、ノズル部の内面またはロッドの外面に接するように形成することにより、連通孔から流出する薬液をノズル部の内面またはロッドの外面に直ちに接触させ、薬液の自然流下を一層確実に防止することができる。
【００１１】
ロッドに付設する放射状のリブは、ロッドの曲りや傾きを防ぐとともに、ロッドに対する薬液の接触面積を大きくし、薬液の自然流下を抑えることができる。なお、リブは、３枚以上を等間隔に設けることが好ましく、連通孔は、薬液を各リブの両面に確実に接触させるために、各リブの間に配置することが好ましい。
【発明を実施するための最良の形態】
【００１２】
以下、図面を以って発明の実施の形態を説明する。
【００１３】
薬液容器の中栓１０は、スカート部１１と、平板部１２と、ノズル部１３と、ロッド１４とを一体成形してなる（図１、図２）。ただし、中栓１０は、薬液を収納するキャップ３０付きの容器２０の口部２１に装着して使用する。
【００１４】
中栓１０は、スカート部１１を容器２０の口部２１に圧入して装着することができる。中栓１０は、たとえば低密度ポリエチレンにより一体成形されており、容器２０に収納する薬液に濡れるものとする。スカート部１１は、口部２１の先端面と同形の円板状の平板部１２の下面に垂設されており、平板部１２の上面には、スカート部１１より小径の円筒形のノズル部１３が突設されている。また、平板部１２の上面中央には、ノズル部１３と同軸状のロッド１４が突設されている。ノズル部１３の内面は、下から上に緩やかに開拡されており、内面先端部は、ラッパ状に滑らかに開拡されている。また、ロッド１４は、上から下に向けて外径が漸増するテーパロッドになっている。
【００１５】
ロッド１４には、放射状のリブ１５、１５…が付設されている（図１、図３（Ａ））。ただし、図３（Ａ）、（Ｂ）は、それぞれ中栓１０の上面図、下面図である。ロッド１４の径方向の各リブ１５の高さは、上から下に漸増しており、ロッド１４の先端においてゼロであり、ロッド１４の下端において、ノズル部１３の内面に到達しない最大高さとなっている。
【００１６】
平板部１２には、ロッド１４、ノズル部１３の間に開口する連通孔１６、１６…が各リブ１５の間に配置して形成されている。なお、各連通孔１６は、平板部１２の下面側から形成する三角形の補助穴１７の頂部をノズル部１３内に露出させることにより、ノズル部１３の内面に接するようにして形成されている（図１、図３（Ｂ））。
【００１７】
容器２０は、たとえば適度の弾性を有するポリプロピレンにより一体成形されている（図１、図２）。容器２０は、胴部２３の上部に口部２１を開口し、口部２１の外面には、キャップ３０用の雄ねじ２２が形成されている。
【００１８】
ねじ式のキャップ３０は、たとえば硬質のポリプロピレンにより一体成形されている。キャップ３０の外面には、ローレット３１が形成され、内面には、雄ねじ２２に適合する雌ねじ３２が形成されている。また、キャップ３０の天面には、中栓１０のノズル部１３の先端部内面に密接するリング状の突条３３が形成され、突条３３は、ノズル部１３を封止するシール部となっている。
【００１９】
キャップ３０を取り外して容器２０を下向きにし、容器２０の胴部２３を押圧して弾性変形させると、容器２０内の薬液を中栓１０のノズル部１３の先端から滴下させることができる。薬液は、連通孔１６、１６…を介してロッド１４とノズル部１３との間の隙間に流出し、この隙間に充満した上、ノズル部１３の先端に大きな液滴を形成することができるからである。
【００２０】
ノズル部１３に対するロッド１４の相対高さΔ＝ｈ−Ｈ（ただし、ｈ、Ｈは、それぞれロッド１４、ノズル部１３の高さ）により、液滴の１滴当りのサイズ（体積）Ｖが変化するが、その一例を図４（Ｂ）に示す。ただし、ノズル部１３の先端の最大内径Ｄ＝８mm、ロッド１４の先端の外径ｄ＝１．８mmとした（同図（Ａ））。これによれば、Δ＝−３．８〜＋０．８mm（Δ／Ｄ＝−０．４８〜＋０．１の範囲で１滴当りのサイズＶ≧０．５５mLを実現することができ、Δ＝−３．６〜−０．６mm（Δ／Ｄ＝−０．４５〜−０．０８）の範囲で１滴当りのサイズＶ≧０．６mLを実現することができる。ただし、Δ、Δ／Ｄの符号＋、−は、それぞれロッド１４が長く、ノズル部１３の先端から突出していること、ロッド１４が短く、ノズル部１３内に収納されていることを示す。
【他の実施の形態】
【００２１】
平板部１２に形成する連通孔１６、１６…は、円形の補助穴１７を平板部１２の下面中央に形成することにより、各リブ１５の間において、ロッド１４の外面に接するように形成してもよい（図５〜図７）。ただし、図５〜図７は、それぞれ容器２０、キャップ３０を除く図１相当図、図３（Ａ）、（Ｂ）相当図を一括して図示している。
【００２２】
図５のリブ１５、１５…は、ロッド１４の全長に対し、ロッド１４の径方向の高さを同一にして形成されている。図６のリブ１５、１５…は、それぞれロッド１４とノズル部１３との間の隙間をロッド１４、ノズル部１３の周方向に分割するように、ロッド１４とノズル部１３とを連結して形成されている。また、図７のノズル部１３の内面には、各リブ１５の間に配置するようにして、別のリブ１８、１８…が内向きに形成されている。いずれの場合も、ロッド１４、ノズル部１３の間の隙間に流出する薬液と、ロッド１４、ノズル部１３との接触面積を大きくし、薬液の自然流下を防止して液滴のサイズを一層大きくすることができる。
【００２３】
以上の説明において、放射状のリブ１５、１５…は、これを省略してもよく、３枚以上の任意の枚数を等間隔に設けてもよい。なお、この発明は、液滴のサイズを大きくすることができるから、うがい薬の他、水などの溶媒に滴下して稀釈したり、２液を滴下して混合したりする任意の薬液に好適に使用することができる。
【図面の簡単な説明】
【００２４】
【図１】全体構成説明図
【図２】使用状態分解斜視図
【図３】要部説明図
【図４】試験データを示す説明線図
【図５】他の実施の形態を示す構成説明図（１）
【図６】他の実施の形態を示す構成説明図（２）
【図７】他の実施の形態を示す構成説明図（３）
【符号の説明】
【００２５】
１０…中栓
１１…スカート部
１２…平板部
１３…ノズル部
１４…ロッド
１５…リブ
１６…連通孔
２０…容器
２１…口部
特許出願人          伸晃化学株式会社
代理人  弁理士        松  田  忠  秋
【図１】
2006076639.tif 000003
【図２】
2006076639.tif 000004
【図３】
2006076639.tif 000005
【図４】
2006076639.tif 000006
【図５】
2006076639.tif 000007
【図６】
2006076639.tif 000008
【図７】
2006076639.tif 000009